(57)【要約】【課題】家電機器の電力使用状況を、ユーザがどの機器を節電の対象とすればよいか簡単に把握できるような方法で表示すること。【解決手段】消費電力表示装置１００は、表示部１３０と、複数の家電機器の消費電力値を受信する受信部１１１と、受信部１１１において受信された各家電機器の消費電力値を記憶する記憶部１１２と、記憶部１１２に記憶された各家電機器の消費電力値を、同種類の家電機器の消費電力値を合算した上で比較し、それぞれの消費電力値に対して順位付けを行う消費電力評価部１１３と、順位付けられた各消費電力値を、その順位に基づいて各家電機器の情報とともに表示部１３０に表示させる表示制御部１１４と、を備えている。【選択図】図５
2014021096.tif 000002
【特許請求の範囲】
【請求項１】
表示手段と、
複数の家電機器の消費電力値を受信する受信手段と、
前記受信手段において受信された各家電機器の消費電力値を記憶する記憶手段と、
前記記憶手段に記憶された各家電機器の消費電力値を、同種類の家電機器の消費電力値を合算した上で比較し、それぞれの消費電力値に対して順位付けを行う消費電力評価手段と、
前記順位付けられた各消費電力値を、当該順位に基づいて前記各家電機器の情報とともに前記表示手段に表示させる表示制御手段と、
を備える消費電力表示装置。
【請求項２】
前記消費電力評価手段が、同種類の家電機器のうち、機器属性が同じものの消費電力を合算することを特徴とする請求項１に記載の消費電力表示装置。
【請求項３】
前記消費電力評価手段が、前記受信された消費電力値が所定値以上の家電機器の消費電力値を合算しないことを特徴とする請求項１又は２に記載の消費電力表示装置。
【請求項４】
商用電源に接続された家電機器で消費される消費電力値を測定する電力測定手段と、
前記電力測定手段において測定された消費電力値を送信する送信手段と、
表示手段と、
前記送信手段から送信された家電機器の消費電力値を受信する受信手段と、
前記受信手段において受信された各家電機器の消費電力値を記憶する記憶手段と、
前記記憶手段に記憶された各家電機器の消費電力値を、同種類の家電機器の消費電力値を合算した上で比較し、それぞれの消費電力値に対して順位付けを行う消費電力評価手段と、
前記順位付けられた各消費電力値を、当該順位に基づいて前記各家電機器の情報とともに前記表示手段に表示させる表示制御手段と、
を備える消費電力表示システム。
【請求項５】
前記送信手段は、屋内電力配線を使用した電力線搬送通信によって前記受信手段に対して前記消費電力値を送信することを特徴とする請求項４に記載の消費電力表示システム。
【発明の詳細な説明】
【技術分野】
【０００１】
本発明は、家庭用電気機械器具（以下、「家電機器」という）の消費電力の情報を収集して表示するための消費電力表示装置および消費電力表示システムに関する。
【背景技術】
【０００２】
近年、全国的に電力不足が懸念されている。そのため、企業や工場に対してだけでなく、各家庭に対しても節電の要請がなされている。また、省エネルギーの観点からも家庭内の各家電機器でどれだけの電力が消費されているのかを把握したいという要望がある。このような目的を達成するために、各家庭において各家電機器の消費電力の推移や現在の総消費電力（総使用電力量）を表示するような各種の装置やシステムが提案されている。
【０００３】
例えば、下記特許文献１には、電力線搬送通信（ＰＬＣ：Power Line Communication）を用いて各家電機器から消費電力情報を取得して、現在の消費電力や各家電機器の特定期間の累積消費電力を表示するような電力測定システムが開示されている。
【０００４】
この特許文献１に開示された電力測定システムによれば、どの家電機器がどれだけ電力を消費しているのかを把握したり、現在の総消費電力が上限値に対してどれだけ余裕があるのか等を把握したりすることが可能となる。
【０００５】
また、下記特許文献２には、機器の温度設定等のレベルを変更した場合に消費電力がどれだけ削減されるかを機器の設定レベル毎に記憶しておき、現在の設定レベルを下げた場合の節電効果を使用者に報知するようにした電力モニタが開示されている。
【０００６】
この特許文献２に開示された電力モニタによれば、使用者は、総消費電力を削減しようとする場合、どの機器の設定レベルを下げればどれだけ総消費電力が下がるかを知ることが可能となる。
【先行技術文献】
【特許文献】
【０００７】
【特許文献１】特開２００７−２２５３７４号公報
【特許文献２】特開２００１−２２８１８４号公報
【発明の概要】
【発明が解決しようとする課題】
【０００８】
しかし、上記の特許文献１、２に記載のシステムや装置では、家庭内の総消費電力を抑えたい場合に、どの家電機器を優先して設定レベルを変更したり、どの家電機器を優先して使用を中止したりすれば、最も節電効果が高くなるかを容易に把握することはできなかった。
【０００９】
そこで、本発明は、上記課題を解決することを課題とし、家庭内に設置された家電機器の電力使用状況を、ユーザがどの機器を節電の対象とすればよいか簡単に把握できるような方法で表示する消費電力表示装置および消費電力表示システムを提供することを目的とする。
【課題を解決するための手段】
【００１０】
上記目的を達成するために、本発明の消費電力表示装置は、表示手段と、複数の家電機器の消費電力値を受信する受信手段と、前記受信手段において受信された各家電機器の消
費電力値を記憶する記憶手段と、前記記憶手段に記憶された各家電機器の消費電力値を、同種類の家電機器の消費電力値を合算した上で比較し、それぞれの消費電力値に対して順位付けを行う消費電力評価手段と、前記順位付けられた各消費電力値を、当該順位に基づいて前記各家電機器の情報とともに前記表示手段に表示させる表示制御手段と、を備えることを特徴とする。
【００１１】
上記の消費電力表示装置によれば、複数の家電機器の消費電力値の情報を取得し、同種類の家電機器の消費電力値を合算した上で比較し、それぞれの消費電力値に対して順位付けを行い、その順位に基づいて各家電機器の消費電力値を表示手段に表示することができる。それにより、電力を多く消費している家電機器が表示手段に順番に表示されるようになり、電力の消費状況を、ユーザに対してどの種類の家電機器を節電の対象とすればよいか容易に把握できるように提供できる。
【００１２】
また、本発明の消費電力表示装置において、前記消費電力評価手段が、同種類の家電機器のうち、機器属性が同じものの消費電力を合算するようにしてもよい。
【００１３】
上記の消費電力表示装置によれば、同種類の家電機器のうち、機器属性が同じものの消費電力値を合算した上で比較する。従って、電力の消費状況を、ユーザに対してどの種類のどの機器属性をもつ家電機器を節電の対象とすればよいか容易に把握できるように提供できる。
【００１４】
また、本発明の消費電力表示装置において、前記消費電力評価手段が、前記受信された消費電力値が所定値以上の家電機器の消費電力値を合算しないようにしてもよい。
【００１５】
上記の消費電力表示装置によれば、所定値以上の電力を消費している家電機器の消費電力値を合算せずに個別に表示手段に表示するので、消費電力値が大きい同種類の家電機器の電力の消費状況を、ユーザに対してどの家電機器を節電の対象とすればよいか容易に把握できるように提供できる。
【００１６】
また、本発明の消費電力表示システムは、商用電源に接続された家電機器で消費される消費電力値を測定する電力測定手段と、前記電力測定手段において測定された消費電力値を送信する送信手段と、表示手段と、前記送信手段から送信された家電機器の消費電力値を受信する受信手段と、前記受信手段において受信された各家電機器の消費電力値を記憶する記憶手段と、前記記憶手段に記憶された各家電機器の消費電力値を、同種類の家電機器の消費電力値を合算した上で比較し、それぞれの消費電力値に対して順位付けを行う消費電力評価手段と、前記順位付けられた各消費電力値を、当該順位に基づいて前記各家電機器の情報とともに前記表示手段に表示させる表示制御手段と、を備えることを特徴とする。
【００１７】
上記の消費電力表示システムの発明によれば、各家電機器で消費される消費電力値を測定でき、それら測定された消費電力値の情報を収集することができる。また、収集された消費電力値の情報を、同種類の家電機器の消費電力値を合算した上で比較し、それぞれの消費電力値に対して順位付けを行い、その順位に基づいて表示手段に表示することができる。それにより、電力を多く消費している家電機器が表示手段に順番に表示されるようになり、電力の消費状況を、ユーザに対してどの種類の家電機器を節電の対象とすればよいか容易に把握できるように提供できる。
【００１８】
また、本発明の消費電力表示システムにおいて、前記送信手段は、屋内電力配線を使用した電力線搬送通信によって前記受信手段に対して前記消費電力値を送信するようにしてもよい。
【００１９】
上記の消費電力表示システムの発明によれば、各家電機器で消費される消費電力の測定値を、電力線搬送通信を使用して送信するので、消費電力値の情報を収集するために専用の配線をする必要がない。また、電力線搬送通信を使用すれば、一軒の家屋のような一つの電気系統に接続されているすべての家電機器の消費電力値の情報を、専用の配線工事等をすることなく容易に収集することが可能となる。
【発明の効果】
【００２０】
本発明によれば、消費電力値の情報を、優先的に節電すれば節電効果が高い機器の順番で表示できる。従って、ユーザは、どの機器を節電の対象とすれば節電効果が高いかを容易に把握することができるようになる。
【図面の簡単な説明】
【００２１】
【図１】本発明の一実施形態にかかる消費電力表示システムを組み込んだ家の概略説明図である。
【図２】本発明の一実施形態にかかる消費電力表示システムおよび消費電力表示装置の内部ブロック図である。
【図３】図１および図２の家電機器の一つと商用電源との間にＰＬＣ通信アダプタを接続している図である。
【図４】本発明の一実施形態にかかる消費電力表示装置における動作を示すフローチャートである。
【図５】本発明の一実施形態にかかる消費電力表示装置の表示画面の一例を示す図である。
【図６】図５の表示画面に対する比較例を示す図である。
【図７】図５の表示画面に対する比較例を示す図である。
【発明を実施するための形態】
【００２２】
以下、本願発明を実施するための最良の形態を、図面を参照して詳細に説明する。ただし、以下に示す実施形態は、本発明の技術思想を具体化するための消費電力表示装置および消費電力表示システムを例示して説明するものであって、本発明を以下の実施形態に限定することを意図するものではなく特許請求の範囲に示した技術思想を逸脱することなくその他の消費電力表示装置および消費電力表示システムにも等しく適用し得るものである。
【００２３】
まず、本実施形態の消費電力表示システム１０を、図１および図２を参照して説明する。なお、図１は、本発明の一実施形態にかかる消費電力表示システム１０を組み込んだ家１の概略説明図である。また、図２は、本発明の一実施形態にかかる消費電力表示システム１０および消費電力表示装置１００の内部ブロック図である。家１は、玄関２、居間３、居間３と一続きになった台所４、子ども部屋５、寝室６を備えて構成される。
【００２４】
玄関２には玄関ライト２１が設けられる。玄関ライト２１は、本実施形態では白熱電球が使用されているものとする。
【００２５】
居間３には、シーリングライト３１、エアコン（エアコンディショナー）３２、テレビ３３、および消費電力表示装置１００が設置される。シーリングライト３１は、本実施形態ではＬＥＤ電球が使用されているものとする。
【００２６】
台所４には、ペンダントライト４１、冷蔵庫４２、電気ポット４３が設置されている。ペンダントライト４１は、本実施形態では蛍光灯が使用されているものとする。
【００２７】
子ども部屋５には、ペンダントライト５１が設置されており、本実施形態では、蛍光灯が使用されているものとする。
【００２８】
寝室６には、シーリングライト６１、エアコン６２が設置されている。シーリングライト６１は、本実施形態では、ＬＥＤ電球が使用されているものとする。
【００２９】
玄関ライト２１、シーリングライト３１、エアコン３２、ペンダントライト４１、ペンダントライト５１、シーリングライト６１、エアコン６２は、それぞれＰＬＣ通信アダプタ１１を介して屋内配線１２に接続される。また、テレビ３３、冷蔵庫４２、電気ポット４３は、それぞれ電気コード１３、ＰＬＣ通信アダプタ１１を介して屋内配線１２に接続される。屋内配線１２は、配電盤（図示せず）を経て商用電力系統（図示せず）に接続される。また、消費電力表示装置１００も屋内配線１２に接続されている。なお、上述した消費電力表示システム１０において、屋内配線１２に接続された各家電機器は、一例として記載したものであり、他の家電機器が必要に応じて屋内配線１２に接続されていてもよい。
【００３０】
図２では、上記の家電機器２１〜６１を、家電機器Ａ〜家電機器Ｎとして示している。家電機器Ａ〜家電機器Ｎは、それぞれＰＬＣ通信アダプタ１１を介して屋内配線１２に接続され、さらに、屋内配線１２には消費電力表示装置１００が接続されている。ＰＬＣ通信アダプタ１１は、電力測定部１１Ａと送信部１１Ｂを備えて構成される。また、ＰＬＣ通信アダプタ１１には、コンセント型ソケット１１Ｃと差込プラグ１１Ｄが設けられる。コンセント型ソケット１１Ｃは、家電機器Ａ〜家電機器Ｎの電気コード１３に備え付けられた電源プラグ１３Ａを差し込むことができる。（図１のテレビ３３、冷蔵庫４２、電気ポット４３等がこれに相当する。）また、家電機器Ａ〜家電機器Ｎのうちのあるものは、電源プラグ１３Ａを備えておらず、その代わり電源プラグ１３Ａと同等の機能をもつプラグやソケットを備えていてコンセント型ソケット１１Ｃに接続されるようにしてもよい。（例えば、図１の玄関ライト２１、シーリングライト３１、６１、ペンダントライト４１、５１等は、コードの先端にソケットが設けられており、これをＰＬＣ通信アダプタ１１のコンセント型ソケット１１Ｃに接続する。）また、差込プラグ１１Ｄは、例えば室内の壁面等に設けられたコンセント１２Ａに差し込まれることによって屋内配線１２に接続される。
【００３１】
なお、以下の図２のブロック図における説明においては、家電機器Ａ〜家電機器Ｎのそれぞれに接続されたＰＬＣ通信アダプタ１１の働きは同じであるため、家電機器Ａに接続されたＰＬＣ通信アダプタ１１についてのみ説明し、他のＰＬＣ通信アダプタ１１についての説明は省略する。
【００３２】
家電機器Ａの電気コード１３の電源プラグ１３ＡをＰＬＣ通信アダプタ１１のコンセント型ソケット１１Ｃに差し込むとともに、ＰＬＣ通信アダプタ１１の差込プラグ１１Ｄを屋内配線１２に接続されたコンセント１２Ａに差し込んで接続すると、ＰＬＣ通信アダプタ１１の電力測定部１１Ａは、屋内配線１２からの電力を家電機器Ａに供給するとともに、このＰＬＣ通信アダプタ１１を通じて家電機器Ａに流れる電流値、および印加される電圧値を監視し、家電機器Ａの消費電力値を所定間隔、例えば３０秒毎に測定する。送信部１１Ｂは、電力測定部１１Ａにおいて測定された家電機器Ａの消費電力値とＰＬＣ通信アダプタ１１のＩＤ等の情報を電力線搬送通信に適した所定の通信データ形式に変換・変調した後に、屋内配線１２を介して消費電力表示装置１００に対して送信する。なお、各ＰＬＣ通信アダプタ１１には、異なるＩＤが割当てられているものとする。
【００３３】
消費電力表示装置１００は、屋内配線１２に接続されることによって電力の供給を受けるとともに家電機器Ａ〜家電機器Ｎに接続されたＰＬＣ通信アダプタ１１から送信された
消費電力値に関する情報を受信して表示するものであり、制御部１１０、操作入力部１２０、表示部１３０を備えて構成される。制御部１１０は、ＣＰＵ、ＲＯＭ、ＲＡＭを備えたマイクロプロセッサで構成されており、ＲＯＭに記憶された制御プログラムをＣＰＵにおいて実行することによって下記の各部の動作を制御・統括する。すなわち、制御部１１０は、受信部１１１、記憶部１１２、消費電力評価部１１３、表示制御部１１４を備えて構成される。
【００３４】
受信部１１１は、各ＰＬＣ通信アダプタ１１から屋内配線１２を介して送信されてきた消費電力値に関する情報を含む信号を受信して復調し、そこから家電機器Ａ〜家電機器Ｎの各消費電力値の情報を取得して、記憶部１１２に記憶する。記憶部１１２には、各ＰＬＣ通信アダプタ１１のＩＤ、ユーザが操作入力部１２０を操作することによって予め各ＰＬＣ通信アダプタ１１のＩＤに対応して設定された家電機器の種類と属性、受信部１１１から出力された消費電力値の情報が対応付けられて記憶される。
【００３５】
ここで、家電機器の「種類」と「属性」は、ユーザが任意に設定することができるが、例えば、「種類」としては、「照明器具」、「冷暖房器具」、「洗濯機」、「冷蔵庫」、「電子レンジ」、「映像・音響機器」、「情報機器」等の大まかな分類を設定することができる。なお、冷蔵庫、電子レンジ、電気ポット、炊飯器等を「台所用家電」のように一つの「種類」にまとめてもよい。また、「属性」とは、「種類」の下位の分類であるが、例えば種類が「照明器具」の場合、「白熱電球」、「蛍光灯」、「ＬＥＤ電球」等の属性を設定することができる。
【００３６】
消費電力評価部１１３は、家電機器Ａ〜家電機器Ｎの消費電力値を比較して、消費電力値の大きい順番に順位を付す。表示制御部１１４は、家電機器Ａ〜Ｎの消費電力値を、消費電力評価部１１３によって順位付けられた順番に表示部１３０に表示するための画像を生成し、表示部１３０に出力する。なお、家電機器Ａ〜家電機器Ｎの消費電力値の比較、および表示の方法については、後で詳細に説明する。
【００３７】
操作入力部１２０は、ボタン式スイッチ、或いは表示部１３０の表面に形成されるタッチパネル式入力装置であり、表示部１３０に表示される表示形式を変更する指示を入力操作したり、どのＰＬＣ通信アダプタ１１にどのような家電機器が接続されているかを設定するための入力操作をしたりするためのものである。表示部１３０は、液晶表示ユニットで構成され、表示制御部１１４から出力された表示画像を表示する。
【００３８】
図３は、図１および図２の家電機器Ａ〜家電機器Ｎのうちの一つと屋内配線１２との間にＰＬＣ通信アダプタ１１を接続しようとしている図である。ＰＬＣ通信アダプタ１１には、コンセント型ソケット１１Ｃがハウジング１１Ｅの第１の面に形成されている。コンセント型ソケット１１Ｃには、家電機器Ａ〜家電機器Ｎの電気コード１３の電源プラグ１３Ａが差し込まれて接続される。ＰＬＣ通信アダプタ１１のハウジング１１Ｅの第２の面には、差込プラグ１１Ｄ（図３では不図示）が設けられており、部屋の壁面に等に設けられたコンセント１２Ａに差し込まれる。これにより、家電機器Ａ〜家電機器Ｎのうちの一つと屋内配線１２とがＰＬＣ通信アダプタ１１を介して接続され、その特定の家電機器に対して電力が供給されるようになる。また、このＰＬＣ通信アダプタ１１に接続された家電機器の消費電力値を測定し、この情報を、コンセント１２Ａ、屋内配線１２を介して消費電力表示装置１００に対して送信できる。
【００３９】
なお、本実施形態においては、ＰＬＣ通信アダプタ１１は、家電機器Ａ〜家電機器Ｎとは別体である場合を説明しているが、本発明はこの実施形態に限定されるものではない。このＰＬＣ通信アダプタ１１に相当する機能をもつものを、家電機器Ａ〜家電機器Ｎがそれぞれ内蔵するようにし、家電機器Ａ〜家電機器Ｎの電気コード１３の電源プラグ１３Ａ
を直接コンセント１２Ａに接続することによって電力線搬送通信を行うようにしてもよい。その場合、家電機器毎にＰＬＣ通信アダプタ１１に相当する機能をもつものが、その家電機器の種類、属性等の固有の情報を消費電力表示装置１００に対して送信する。そのようにすれば、ユーザは消費電力表示装置１００に対してＰＬＣ通信アダプタ１１のＩＤとそれに接続された家電機器Ａ〜家電機器Ｎの種類や属性を設定する必要はない。また、ＰＬＣ通信アダプタ１１に相当する機能を各家電機器に内蔵してしまえば、例えば、掃除機のように接続するコンセントが毎回異なるような家電機器であっても家電機器の電源プラグをコンセントに差し込むだけで家電機器の消費電力値の情報を消費電力表示装置１００に送信することができるようになる。
【００４０】
或いは、一部の家電機器はＰＬＣ通信アダプタ１１に相当する機能をもつものを内蔵するようにしてその電気コード１３の電源プラグ１３Ａをコンセント１２Ａに接続することによって電力線搬送通信を行い、消費電力値を含む情報を消費電力表示装置１００に送信し、残りの家電機器はＰＬＣ通信アダプタ１１を接続することによってこのＰＬＣ通信アダプタ１１を介して消費電力表示装置１００に対して消費電力値を含む情報を送信するようにしてもよい。そのようにすれば、既に家庭内で使用されている家電機器の消費電力値の情報をＰＬＣ通信アダプタ１１を接続するだけで容易に監視できるようになるうえ、新たに家電機器を設置する場合には、ＰＬＣ通信アダプタ１１の機能を内蔵するものを購入すれば、ただ単純に電源プラグをコンセントに差し込むだけでその家電機器の消費電力値の情報を消費電力表示装置１００に送信できるようになる。
【００４１】
次に、図４、図５を参照して、消費電力表示装置１００における消費電力表示の動作について説明する。なお、以下においては、図１の玄関２の玄関ライト２１の消費電力値が６０Ｗ、居間３のシーリングライト３１の消費電力値が３０Ｗ、エアコン３２の消費電力値が８００Ｗ、テレビ３３の消費電力値が２５０Ｗ、台所４のペンダントライト４１の消費電力値が６０Ｗ、冷蔵庫４２の消費電力値が１５０Ｗ、電気ポット４３の消費電力値が２０Ｗ、子ども部屋５のペンダントライト５１の消費電力値が８０Ｗ、寝室６のシーリングライト６１の消費電力値が２０Ｗ、エアコン６２の消費電力値が７００Ｗであった場合を、一例として説明する。
【００４２】
なお、図４は、本発明の一実施形態にかかる消費電力表示装置１００における動作を示すフローチャートである。また、図５は、本発明の一実施形態にかかる消費電力表示装置１００の表示画面の一例を示す図であり、図６および図７は、図５の表示画面に対する比較例を示す図である。
【００４３】
図４のステップＳ４０１において、消費電力表示装置１００の受信部１１１は、家電機器Ａ〜家電機器Ｎに接続された各ＰＬＣ通信アダプタ１１から屋内配線１２を介して送信されてきた消費電力値とＰＬＣ通信アダプタ１１のＩＤを含む情報を受信し、記憶部１１２に、ユーザが操作入力部１２０を操作することによって予め各ＰＬＣ通信アダプタ１１に対応して設定された家電機器の種類と属性とを対応付けて記憶する。
【００４４】
ステップＳ４０２において、消費電力評価部１１３は、記憶部１１２に記憶された各家電機器の種類の情報を参照し、同種類の家電機器があるか否かを判定する。同種類の家電機器がない場合、ステップＳ４０９の処理に進み、同種類の家電機器がある場合、ステップＳ４０３の処理に進む。本実施形態では、玄関２の玄関ライト２１、居間３のシーリングライト３１、台所４のペンダントライト４１、子ども部屋５のペンダントライト５１、寝室６のシーリングライト６１が同種類の家電機器であり、また、居間３のエアコン３２と寝室６のエアコン６２が同種類の家電機器である。
ステップＳ４０３において、消費電力評価部１１３は、家電機器の消費電力値が単体で所定値以上のものがあるか否かを判定する。家電機器の消費電力値が単体で所定値以上のも
のがない場合、ステップＳ４０５の処理に進む。一方、家電機器の消費電力値が単体で所定値以上のものがある場合、ステップＳ４０４の処理に進み、該当する機器を以下の合算の対象から除外し、ステップＳ４０５の処理に進む。例えば、本実施形態では、所定値は５００Ｗに設定されているものとする。すると、居間３に設置されたエアコン３２の消費電力値が８００Ｗ、また、寝室６に設置されたエアコン６２の消費電力値が７００Ｗであるので、これらの家電機器は合算の対象から除外し、ステップＳ４０５以降の処理に進む。
【００４５】
ステップＳ４０５において、消費電力評価部１１３は、記憶部１１２に記憶された属性情報を参照し、合算の対象となっている同種類の家電機器のうちで機器属性が同じものがあるか否かを判定する。機器属性の同じものがある場合、ステップＳ４０６の処理に進み、消費電力評価部１１３は属性の同じ家電機器の消費電力値を合算して記憶部１１２に記憶する。例えば、本実施形態では、居間３に設置されたシーリングライト３１と寝室６に設置されたシーリングライト６１がそれぞれＬＥＤ電球を使用しており、機器属性が同一であるので、消費電力評価部１１３はこれらの家電機器における消費電力値を合算する。また、台所４に設置されたペンダントライト４１と子ども部屋５に設置されたペンダントライト５１がそれぞれ蛍光灯を使用しており、機器属性が同一であるので、消費電力評価部１１３は、これらの家電機器における消費電力値を合算する。次いで、ステップＳ４０７において、消費電力評価部１１３は、属性を同じくする家電機器以外の同種類の家電機器の消費電力値を合算して記憶部１１２に記憶し、ステップＳ４０９の処理に進む。
【００４６】
ステップＳ４０５において、合算の対象となっている同種類の家電機器のうちで機器属性が同じものがないと判定された場合、ステップＳ４０８の処理に進み、消費電力評価部１１３は、同種類の家電機器の消費電力値を合算して記憶部１１２に記憶し、ステップＳ４０９の処理に進む。
【００４７】
ステップＳ４０９において、消費電力評価部１１３は、機器属性が同一の家電機器、それ以外の同種類の家電機器、その他の家電機器のそれぞれの消費電力値を比較し、消費電力値の大きい順に順位を関連付ける。ステップＳ４１０において、表示制御部１１４は、機器属性が同一の家電機器、それ以外の同種類の家電機器、その他の家電機器のそれぞれの消費電力値をステップＳ４０９で順位付けられた順番に従って表示部１３０に表示させ、処理を終了する。この時の表示画面の一例が図５に示されている。
【００４８】
図５において、各家電機器における消費電力値が大きい順に表示されている。表示画面５００には、左側から居間３に設置されたエアコン３２の消費電力値（８００Ｗ）、寝室６に設置されたエアコン６２の消費電力値（７００Ｗ）、居間３に設置されたテレビ３３の消費電力値（２５０Ｗ）、台所４の冷蔵庫４２の消費電力値（１５０Ｗ）、台所４と子ども部屋５にそれぞれ設置されたペンダントライト４１、５１の合算消費電力値（１４０Ｗ）、玄関２の玄関ライト２１の消費電力値（６０Ｗ）、居間３と寝室６にそれぞれ設置されたシーリングライト３１、６１の合算消費電力値（５０Ｗ）、台所４の電気ポット４３の消費電力値（２０Ｗ）の順に消費電力値がそれぞれ表示されている。また、各家電機器における消費電力値の表示の上部には、家１における総消費電力値の合計値（２．１７ＫＷ）が表示される。
【００４９】
図５を参照すると、居間３のエアコン３２の消費電力値が最も大きく、次いで寝室６のエアコン６２の消費電力値が大きいことが理解できる。そこで、家族の皆が居間３にいる場合、寝室６のエアコン６２の電源を切るか消費する電力が少なくなるように設定を変更すれば節電効果が高くなることを容易に把握することが可能となる。
【００５０】
ここで、図６に示した図５の表示画面５００に対する比較例の表示画面６００を参照す
る。比較例の表示画面６００では、ＰＬＣ通信アダプタ１１に割り振られたＩＤ順に各家電機器が並べられ、それぞれの消費電力値が表示されている。この表示画面６００では、居間３に設置されたエアコン３２と寝室６に設置されたエアコン６２の消費電力値が高いことは認められるが、その他の家電機器については、どの家電機器を優先して節電すれば効果性が高いかわかりにくい表示となっている。また、実際には、エアコン以外にも消費電力値の大きな家電機器がいくつも存在することを考えると、表示画面６００のように家電機器の消費電力値をＰＬＣ通信アダプタ１１のＩＤ順に並べて表示した場合は、どの家電機器を節電の対象とすればよいか把握しにくいことが理解できる。
【００５１】
次に、図７に示した図５の表示画面５００に対するもう一つの比較例の表示画面７００を参照する。比較例の表示画面７００では、すべての家電機器の消費電力値が、大きい順に並べ替えて表示されている。この比較例の表示画面７００の場合、消費電力値の同じような機器がいくつも存在するために、やはり、どの家電機器を優先して節電すれば効果性が高いかわかりにくい表示となっている。
【００５２】
対照的に、本実施形態の図５の表示画面５００では、同種類の家電機器、また、同じ属性を有する家電機器の消費電力値をそれぞれ合算し、その上で消費電力値の大きな順に並べ替えて表示するようにしている。従って、例えば、同じ種類の家電機器、例えば照明であっても、蛍光灯の消費電力値がＬＥＤ電球の消費電力値よりも大きくなっているので、蛍光灯をＬＥＤ電球に交換する等すれば、節電効果を高めることができるということが容易に把握できるようになる。
【００５３】
なお、上記本実施形態では、図５の表示画面５００を消費電力表示装置１００の表示部１３０に表示した例を説明したが、ユーザが操作入力部１２０を操作することによって図６の表示画面６００や図７の表示画面７００を切り替えて表示できるようにしてもよい。
【００５４】
上記においては、ＰＬＣ通信アダプタ１１にＩＤを割り当てておき、消費電力表示装置１００の記憶部１１２に各ＰＬＣ通信アダプタ１１のＩＤとそれに接続される家電機器の種類と属性を対応付けて記憶させておく場合について説明したが、本発明はこれに限定されるものではない。ＰＬＣ通信アダプタ１１のそれぞれにそこに接続される家電機器の情報を記憶しておき、消費電力値の情報とともに家電機器の情報を消費電力表示装置１００に送信するように構成してもよい。
【００５５】
また、上記においては、ＰＬＣ通信アダプタ１１において、例えば３０秒ごとに各家電機器の消費電力値を測定し、消費電力表示装置１００においてそれら瞬間的な消費電力値を比較した場合について説明したが、本発明はこれに限定されるものではない。ＰＬＣ通信アダプタ１１において継続的に消費電力値を測定するとともに累積し、消費電力表示装置１００において所定期間毎の平均消費電力値を比較するようにしてもよいし、所定期間毎の消費電力量を比較するようにしてもよい。
【００５６】
さらに、上記においては、それぞれの家電機器の消費電力値を、ＰＬＣ通信アダプタ１１と屋内配線１２を使用することによって消費電力表示装置１００に対して送信する場合について説明したが、本発明はこれに限定されるものではない。各家電機器の消費電力値を測定し、この消費電力値の情報を無線ＬＡＮ送信装置によって無線信号を使用、或いは、有線ＬＡＮ送信装置によってＬＡＮ回線を使用して、消費電力表示装置１００に対して送信するようにしてもよい。
【００５７】
また、消費電力値を測定するＰＬＣ通信アダプタ１１や上記測定装置および無線ＬＡＮ送信装置を、各家電機器に内蔵させた構成としてもよい。
【符号の説明】
【００５８】
１    家
２    玄関
３    居間
４    台所
５    子ども部屋
６    寝室
１０    消費電力表示システム
１１    ＰＬＣ通信アダプタ
１１Ａ  電力測定部
１１Ｂ  送信部
１１Ｃ  コンセント型ソケット１１
１１Ｄ  差込プラグ
１１Ｅ  ハウジング１１Ｅ
１２    屋内配線
１２Ａ  コンセント
１３    電気コード
１３Ａ  電源プラグ
２１    玄関ライト
３１    シーリングライト
３２    エアコン
３３    テレビ
４１    ペンダントライト
４２    冷蔵庫
４３    電気ポット
５１    ペンダントライト
６１    シーリングライト
６２    エアコン
１１０    制御部
１１１    受信部
１１２    記憶部
１１３    消費電力評価部
１１４    表示制御部
１２０    操作入力部
１３０    表示部
【図１】
2014021096.tif 000003
【図２】
2014021096.tif 000004
【図３】
2014021096.tif 000005
【図４】
2014021096.tif 000006
【図５】
2014021096.tif 000007
【図６】
2014021096.tif 000008
【図７】
2014021096.tif 000009